【手続補正書】
【提出日】令和3年6月24日(2021.6.24)
【手続補正１】
【補正対象書類名】明細書
【補正対象項目名】００２８
【補正方法】変更
【補正の内容】
【００２８】
図１，３に示すように端面１１ａ，１２ａは、リング本体２の軸方向に沿って長く、径方向に厚みを有する。差込み規制部６は、軸方向における端面１１ａ，１２ａの第１縁部２ａ側（図３において上方）に設けられる。差込み規制部６は、第１端部１１に形成された第１凹壁面１１ｂと第２凹壁面１１ｃを備える。第２凹壁面１１ｃは、端面１１ａと角度を有して交差しかつリング本体２の周方向に沿って延出する。第１凹壁面１１ｂは、第２凹壁面１１ｃと角度を有して交差しかつリング本体２の軸方向に沿って第１縁部２ａまで延出する。第１凹壁面１１ｂと第２凹壁面１１ｃは、略矩形状に周方向（図３において右方）に切欠かれた切欠き形状を構成する。
【手続補正２】
【補正対象書類名】明細書
【補正対象項目名】００２９
【補正方法】変更
【補正の内容】
【００２９】
図３に示すように差込み規制部６は、第２端部１２に形成された第１凸壁面１２ｂと第２凸壁面１２ｃを有する。第２凸壁面１２ｃは、端面１２ａから角度を有し、かつリング本体２の周方向に沿って延出する。第１凸壁面１２ｂは、第２凸壁面１２ｃから角度を有し、かつリング本体２の軸方向に沿って第１縁部２ａまで延出する。第１凸壁面１２ｂと第２凸壁面１２ｃは、略矩形状に周方向（図３において右方）に張出した張出し形状を構成する。第１凸壁面１２ｂと第２凸壁面１２ｃで構成される張出し形状は、第１凹壁面１１ｂと第２凹壁面１１ｃで構成される切欠き形状に収まる大きさおよび形状を有する。
【手続補正３】
【補正対象書類名】明細書
【補正対象項目名】００３２
【補正方法】変更
【補正の内容】
【００３２】
図３に示すように差込み規制部７は、軸方向における端面１１ａ，１２ａの第２縁部２ｂ側（図３において下方）に設けられる。差込み規制部７は、合口部１３の中心を対称中心として差込み規制部６と点対称状である。すなわち差込み規制部７は、第１端部１１に形成された第１凸壁面１１ｅと第２凸壁面１１ｄを備える。第１凸壁面１１ｅと第２凸壁面１１ｄは、略矩形状に周方向（図３において左方）に張出した張出し形状を構成する。差込み規制部７は、第２端部１２に形成された第１凹壁面１２ｅと第２凹壁面１２ｄを備える。第１凹壁面１２ｅと第２凹壁面１２ｄは、略矩形状に周方向（図３において左方）に切欠かれた切欠き形状を構成する。
【手続補正４】
【補正対象書類名】明細書
【補正対象項目名】００４６
【補正方法】変更
【補正の内容】
【００４６】
図４に示すように差込み規制部２８は、軸方向における端面２１ａ，２２ａの第１縁部２ａ側（図４において上方）に設けられる。差込み規制部２８は、第１端部２１に形成された張出し面２１ｂと第２端部２２に形成された切欠き面２２ｂを備える。張出し面２１ｂは、第１縁部２ａと例えば３０〜６０°の角度を有して交差し、図示するように上方から下方に向かうにしたがって左方から右方へと延出する。張出し面２１ｂと第１縁部２ａは、端面２１ａより周方向（図４において左方）に張出した略三角形の張出し形状を構成する。切欠き面２２ｂは、端面２２ａおよび第１縁部２ａと角度を有して交差し、張出し面２１ｂと略平行に延出する。
【手続補正５】
【補正対象書類名】明細書
【補正対象項目名】００４９
【補正方法】変更
【補正の内容】
【００４９】
図４に示すように差込み規制部２９は、軸方向における端面２１ａ，２２ａの第２縁部２ｂ側（図４において下方）に設けられる。差込み規制部２９は、中心線Ｌ１を対称中心として差込み規制部２８と線対称状である。すなわち差込み規制部２９は、第１端部２１に形成された張出し面２１ｅと第２端部２２に形成された切欠き面２２ｃを備える。張出し面２１ｅと切欠き面２２ｃは、第２縁部２ｂと角度を有して交差し、図示するように下方から上方に向かうにしたがって左方から右方へと互いに略平行に延出する。
【手続補正６】
【補正対象書類名】明細書
【補正対象項目名】００５０
【補正方法】変更
【補正の内容】
【００５０】
図４に示すように差込み規制部２９は、張出し面２１ｅと切欠き面２２ｃの間に第１スリット２６を有する。第１スリット２６は、リング本体２の板厚より間隔が広い。差込み規制部２９は、端面２１ａ，２２ａ間に第２スリット２７を有する。第２スリット２７は、第１スリット２６と角度を有して交差し、第１スリット２６からリング本体２の軸方向に沿って延在する。第１端部２１は、第１スリット２６と第２スリット２７の連結箇所を超えて第１スリット２６から第１スリット２６の延在方向に切込まれた切込み部２１ｄを有する。切込み部２１ｄは、第１スリット２６の間隔と略同じ幅である。切込み部２１ｄと第２スリット２７は、第１スリット２６から分岐するように延出する。第１スリット２６と切込み部２１ｄと第２スリット２７は、第２縁部２ｂと仮想線Ｌ４との間に位置する。
【手続補正７】
【補正対象書類名】明細書
【補正対象項目名】００５１
【補正方法】変更
【補正の内容】
【００５１】
上述するように差込み規制部２８，２９は、図４に示すように第１スリット２４，２６と第２スリット２５，２７をそれぞれ有する。第１スリット２４，２６は、それぞれ第１縁部２ａ，第２縁部２ｂから角度を有して延在する。第２スリット２５，２７は、第１スリット２４，２６と角度を有して交差し、第１スリット２４，２６からそれぞれ延在する。切込み部２１ｃ，２１ｄは、第１スリット２４，２６と第２スリット２５，２７の連結箇所を超えて第１スリット２４，２６から第１スリット２４，２６の延在方向に延びる。
【手続補正８】
【補正対象書類名】明細書
【補正対象項目名】００６５
【補正方法】変更
【補正の内容】
【００６５】
図７に示すように差込み規制部５８は、互いに略平行である第１凹壁面５１ｂと第１凸壁面５２ｂの間に第１スリット５４を有する。第１スリット５４は、第１縁部２ａからリング本体２の軸方向に沿ってかつ第１縁部２ａと角度を有して延在する。第１スリット５４は、リング本体２の板厚より幅が広くかつ図３に示す第１スリット１４より間隔が広くなるように形成される。差込み規制部５８は、互いに略平行である第２凹壁面５１ｃと第２凸壁面５２ｃの間に第２スリット５５を有する。第２スリット５５は、第１スリット５４と角度（例えば略９０°）を有して交差し、第１スリット５４からリング本体２の周方向に沿って延在する。第２スリット５５は、第１スリット５４より幅が狭い。
【手続補正９】
【補正対象書類名】明細書
【補正対象項目名】００７０
【補正方法】変更
【補正の内容】
【００７０】
図８，９に示すように突出部６１ｆは、図９において第２縁部２ｂに沿って第１端部６１から周方向（図９において左方）に張出す。突出部６１ｆの先端には、突出部６１ｆの先端から径方向内方に湾曲する第１凸壁面６１ｅが形成される。突出部６１ｆは、略矩形状であって、第２縁部２ｂと第１凸壁面６１ｅと第２凸壁面６１ｄを端面として有する。第１凸壁面６１ｅは、突出部６１ｆの周方向先端に位置し、周方向に向く。第１凸壁面６１ｅは、第２凸壁面６１ｄと角度を有して交差しかつリング本体２の軸方向に沿って第２縁部２ｂまで延出する。突出部６１ｆは、第２端部６２に形成された切欠きに収容される。切欠きは、第１凹壁面６２ｅと第２凹壁面６２ｄで構成される。
【手続補正１０】
【補正対象書類名】明細書
【補正対象項目名】００７１
【補正方法】変更
【補正の内容】
【００７１】
図８，９に示すように突出部６２ｆは、第１縁部２ａに沿って形成され、かつ突出部６１ｆと近似する構成を有する。ただし突出部６２ｆの先端には、突出部６２ｆの先端から径方向外方に湾曲する第１凸壁面６２ｂが形成される。突出部６２ｆは、略矩形状で第１縁部２ａと第１凸壁面６２ｂと第２凸壁面６２ｃを有する。突出部６２ｆは、第１端部６１に形成された切欠きに収容され、切欠きは、第１凹壁面６１ｂと第２凹壁面６１ｃで構成される。
【手続補正１１】
【補正対象書類名】明細書
【補正対象項目名】００７８
【補正方法】変更
【補正の内容】
【００７８】
図１１に示すように第１スリット７４，７６と第２スリット７５，７７は、合口部７３においてリング本体２の軸方向に１列に並んでいる。第１スリット７４，７６は、半山突起部８，９の軸方向端部よりリング本体２の軸方向外方に位置する。第２スリット７５，７７は、半山突起部８，９の軸方向端部よりリング本体２の軸方向内方に位置する。そのため第１スリット７４，７６と第２スリット７５，７７は、それぞれ互いの間に径方向の段差を有する。
【手続補正１２】
【補正対象書類名】明細書
【補正対象項目名】００７９
【補正方法】変更
【補正の内容】
【００７９】
上述するように差込み規制部７８，７９は、図１１，１２に示すようにリング本体２の径方向外方に突出した半山突起部８，９をそれぞれ有する。したがって半山突起部８，９は、例えば他のトランスリングＴが合口部７３に径方向あるいは軸方向から進入する時、他のトレランスリングＴの突起部や半山突起部と当たる。これにより他のトレランスリングＴが合口部７３に進入する度合いを規制する。
【手続補正１３】
【補正対象書類名】明細書
【補正対象項目名】００８２
【補正方法】変更
【補正の内容】
【００８２】
図１３に示すように差込み規制部８８は、第２端部８２において第１凸壁面８２ｂと第２凸壁面８２ｃを有する。第１凸壁面８２ｂは、第１凸壁面８２ｂに沿って第１縁部２ａから延出する。第２凸壁面８２ｃは、第１凸壁面８２ｂから連続的に延出し、第１凸壁面８２ｂと端面８２ａを連結する。第１凸壁面８２ｂと第２凸壁面８２ｃは、協働してＳ字状を形成する。第１凸壁面８２ｂが第１曲線部８１ｃと対向し、第２凸壁面８２ｃが第２曲線部８１ｄと対向する。
【手続補正１４】
【補正対象書類名】明細書
【補正対象項目名】００８５
【補正方法】変更
【補正の内容】
【００８５】
上述するように差込み規制部８８，８９は、第１縁部２ａ，第２縁部２ｂからＳ字状に延在するスリット８４，８６をそれぞれ有する。スリット８４，８６は、切欠き形状の第１曲線部８１ｃ，８２ｅを有する。第１曲線部８１ｃは、軸方向における仮想線Ｌ３と第１縁部２ａとの間の範囲に位置する。第１曲線部８２ｅは、軸方向における仮想線Ｌ４と第２縁部２ｂとの間の範囲に位置する。